(57)【要約】【課題】ターボ機械燃焼器およびターボ機械燃焼器内の燃焼ダイナミックスを調整するための方法を提供すること。【解決手段】ターボ機械燃焼器は、少なくとも部分的に共振器体積を画定する、キャップ表面および壁を有する燃焼器キャップを含む。キャップ表面から複数の噴射ノズル部材が延在している。複数の噴射ノズル部材の各々は、１つの内部ノズル部材および複数の外部ノズル部材を含む。調整可能コンジットが壁を貫通して共振器体積の中へ延在している。調整可能コンジットは、寸法パラメータを有する内部通路を含む。燃焼器ダイナミックス軽減システムが燃焼器キャップに動作可能に接続されている。燃焼器ダイナミックス軽減システムは、共振器体積の大きさおよび調整可能コンジットの寸法パラメータのうちの１つを制御して燃焼器内の燃焼器ダイナミックスを修正するように構成され、かつ、配置されたコントローラを含む。【選択図】図１
2013242136.tif 000002
【特許請求の範囲】
【請求項１】
ターボ機械燃焼器であって、
少なくとも部分的に共振器体積を画定するキャップ表面および壁を備える燃焼器キャップと、
前記キャップ表面から延在している複数の噴射ノズル部材であって、１つの内部ノズル部材および複数の外部ノズル部材を含む複数の噴射ノズル部材と、
前記壁を貫通して前記共振器体積の中へ延在しているコンジットであって、寸法パラメータを有する内部通路を含むコンジットと、
前記燃焼器キャップに動作可能に接続された燃焼器ダイナミックス軽減システムであって、前記共振器体積の大きさおよび前記コンジットの前記寸法パラメータのうちの１つを制御して前記燃焼器内の燃焼器ダイナミックスを修正するように構成され、かつ、配置されたコントローラを含む燃焼器ダイナミックス軽減システムと
を備えるターボ機械燃焼器。
【請求項２】
前記燃焼器キャップが、前記キャップ表面から間隔を隔て、かつ、前記複数の噴射ノズル部材の各々の周囲に延在している体積調整板を含み、前記コントローラが、前記共振器体積の大きさを変更するために前記体積調整板を前記キャップ表面に対してシフトさせるように構成され、かつ、配置される、請求項１記載のターボ機械燃焼器。
【請求項３】
前記キャップ表面に対して前記体積調整板を軸方向にシフトさせることができる、請求項２記載のターボ機械燃焼器。
【請求項４】
前記コンジットが、調整可能開口を画定する複数の板を含み、前記コントローラが、前記内部通路の直径を調整するために前記複数の板をシフトさせるように構成される、請求項１記載のターボ機械燃焼器。
【請求項５】
前記コンジットが内部コンジット壁部材および外部コンジット壁部材を含み、前記コントローラが、前記コンジットの長さを調整するために、前記外部コンジット壁部材および前記内部コンジット壁部材のうちの一方を、前記外部コンジット壁部材および前記内部コンジット壁部材のうちの他方に対して選択的にシフトさせるように構成される、請求項１記載のターボ機械燃焼器。
【請求項６】
前記内部ノズル部材から、前記複数の外部ノズル部材の隣接する外部ノズル部材の間の前記壁まで延在している、前記共振器体積を複数の共振器体積に分割するための複数のディバイダ部材をさらに備え、前記複数のディバイダ部材が、前記複数の共振器体積の大きさを調整するために前記コントローラに動作可能に結合され、また、前記壁に沿って前記複数のディバイダ部材を選択的にシフトさせることができる、請求項１記載のターボ機械燃焼器。
【請求項７】
前記コントローラが前記燃焼器内の燃焼ダイナミックスを低減するように構成される、請求項１記載のターボ機械燃焼器。
【請求項８】
ターボ機械の燃焼器内の燃焼ダイナミックスを調整する方法であって、
寸法パラメータを有するコンジットを介して、少なくとも部分的に壁によって画定された共振器体積に流体を渡すステップと、
前記燃焼器内の燃焼器ダイナミックスを調整するために、前記共振器体積の大きさおよび前記コンジットの前記寸法パラメータのうちの１つを制御するステップと
を含む方法。
【請求項９】
前記共振器体積の前記大きさを制御するステップが、体積調整可能板をキャップ表面に対してシフトさせるステップを含む、請求項８記載の方法。
【請求項１０】
前記共振器体積の前記大きさを制御するステップが、複数の共振器体積のうちの１つまたは複数の共振器体積の大きさを調整するために、内部ノズル部材から、複数の共振器体積の隣接する共振器体積の間の前記壁まで延在している１つまたは複数のディバイダ部材をシフトさせるステップを含む、請求項８記載の方法。
【請求項１１】
前記コンジットの前記寸法パラメータを制御するステップが、前コンジットの出口のサイズを選択的に調整するステップを含む、請求項８記載の方法。
【請求項１２】
前記調整可能コンジットの前記寸法パラメータを制御するステップが、前記コンジットの長さを選択的に調整するステップを含む、請求項８記載の方法。
【請求項１３】
前記共振器体積の前記大きさおよび前記コンジットの前記寸法パラメータのうちの前記１つを制御するステップが、前記ターボ機械を運転している間に１つまたは複数の噴射器部材によって生成される固有周波数を相殺する周波数を有する音を生成する、請求項８記載の方法。
【請求項１４】
圧縮機部分と、
前記圧縮機部分に機械的にリンクされたタービン部分と、
前記圧縮機部分および前記タービン部分に流体接続された燃焼器アセンブリであって、
キャップ表面、および前記キャップ表面の周囲に延在している壁を含み、少なくとも部分的に共振器体積を画定する燃焼器キャップ、
前記キャップ表面から延在している複数の噴射ノズル部材であって、１つの内部ノズル部材および複数の外部ノズル部材を含む複数の噴射ノズル部材、
前記壁を貫通して前記共振器体積の中へ延在しているコンジットであって、寸法パラメータを有する内部通路を含むコンジット、ならびに
前記燃焼器キャップに動作可能に接続された燃焼器ダイナミックス軽減システムであって、前記共振器体積の大きさおよび前記コンジットの前記寸法パラメータのうちの１つを制御して前記燃焼器アセンブリ内の燃焼器ダイナミックスを変更するように構成され、かつ、配置されたコントローラを含む燃焼器ダイナミックス軽減システム
を含む燃焼器アセンブリと
を備えるターボ機械。
【請求項１５】
前記燃焼器キャップが、前記キャップ表面から間隔を隔て、かつ、前記複数の噴射ノズル部材の各々の周囲に延在している体積調整板を含み、前記コントローラが、前記共振器体積の大きさを変更するために前記体積調整板を前記キャップ表面に対してシフトさせるように構成され、かつ、配置される、請求項１４記載のターボ機械。
【請求項１６】
前記燃焼器キャップに対して前記体積調整板を軸方向にシフトさせることができる、請求項１５記載のターボ機械。
【請求項１７】
前記コンジットが、選択的に調整可能な開口を画定する複数の板を含み、前記コントローラが、前記内部通路の直径を調整するために前記複数の板をシフトさせるように構成される、請求項１４記載のターボ機械。
【請求項１８】
前記コンジットが内部コンジット壁部材および外部コンジット壁部材を含み、前記コントローラが、前記コンジットの長さを調整するために、前記外部コンジット壁部材および前記内部コンジット壁部材のうちの一方を、前記外部コンジット壁部材および前記内部コンジット壁部材のうちの他方に対してシフトさせるように構成される、請求項１４記載のターボ機械燃焼器。
【請求項１９】
前記内部ノズル部材から、前記複数の外部ノズル部材の隣接する外部ノズル部材の間の前記壁まで延在している、前記共振器体積を複数の共振器体積に分割するための複数のディバイダ部材をさらに備え、前記複数のディバイダ部材が、前記複数の共振器体積の大きさを調整するために前記コントローラに動作可能に結合され、また、前記壁に沿って前記複数のディバイダ部材をシフトさせることができる、請求項１４記載のターボ機械燃焼器。
【請求項２０】
前記コントローラが前記燃焼器アセンブリ内の燃焼ダイナミックスを低減するように構成される、請求項１４記載のターボ機械。
【発明の詳細な説明】
【技術分野】
【０００１】
本明細書において開示される主題はターボ機械の分野に関し、より詳細にはターボ機械のための燃焼器アセンブリに関する。
【背景技術】
【０００２】
ガスタービン放出に対する要求事項はますます厳格になっており、したがってこのような要求事項に合致するための手法の１つは、例えばＮＯxおよびＣＯの放出を少なくするために、完全予混合動作の間、従来の拡散炎燃焼器から希薄燃料／空気混合物を利用した燃焼器へ移動することである。これらの燃焼器は、当分野では乾燥低ＮＯx（ＤＬＮ）燃焼システム、乾燥低放出（ＤＬＥ）燃焼システムまたは希薄予混合（ＬＰＭ）燃焼システムとして知られている。このような燃焼器は、通常、キャップ空胴としても知られているバレル内に収納された複数の燃料ノズルを含む。
【先行技術文献】
【特許文献】
【０００３】
【特許文献１】米国特許出願公開第２０１１／００４８０２１号公報
【発明の概要】
【発明が解決しようとする課題】
【０００４】
これらの燃焼器は、このような希薄燃料／空気比率で動作するため、速度のわずかな変化でも、燃料／空気の変動をもたらすことになる質量の流れの大きな変化の原因になることがある。これらの変動は、放熱の速度が大きく変化し、かつ、燃焼器の燃焼ゾーン部分に高圧変動が生成される原因になることがある。燃料／空気変動の相互作用、渦炎相互作用および不安定放熱は、帰還ループ機構によって燃焼システム内に動圧脈動が生じる原因になることがある。圧力脈動の現象は、熱音響不安定性または燃焼力学的不安定性、あるいは単純に燃焼ダイナミックスと呼ばれている。高レベルの燃焼ダイナミックスは、放出低減および動力出力に制限を課すことによって燃焼器の動作包絡線を制限する。燃焼器コンポーネントを修理するためには、ターボ機械をオフラインにもっていかなければならない。したがって燃焼器コンポーネントの修理に関連するコストに加えて、ターボ機械の運転時間の損失による追加コストが必要である。
【課題を解決するための手段】
【０００５】
例示的実施形態の一態様によれば、ターボ機械燃焼器は、少なくとも部分的に共振器体積を画定するキャップ表面および壁を有する燃焼器キャップを含む。キャップ表面から複数の噴射ノズル部材が延在している。複数の噴射ノズル部材は、１つの内部ノズル部材および複数の外部ノズル部材を含む。コンジットが壁を貫通して共振器体積の中へ延在している。コンジットは、寸法パラメータを有する内部通路を含む。燃焼器ダイナミックス軽減システムが燃焼器キャップに動作可能に接続されている。燃焼器ダイナミックス軽減システムは、共振器体積の大きさおよびコンジットの寸法パラメータのうちの１つを制御して燃焼器内の燃焼器ダイナミックスを修正するように構成され、かつ、配置されたコントローラを含む。
【０００６】
例示的実施形態の他の態様によれば、ターボ機械の燃焼器内の燃焼ダイナミックスを調整する方法は、寸法パラメータを有するコンジットを介して、少なくとも部分的に壁によって画定された共振器体積に流体を渡すステップと、燃焼器内の燃焼器ダイナミックスを調整するために、共振器体積の大きさおよびコンジットの寸法パラメータのうちの１つを制御するステップとを含む。
【０００７】
例示的実施形態のさらに他の態様によれば、ターボ機械は、圧縮機部分と、圧縮機部分に機械的にリンクされたタービン部分と、圧縮機部分およびタービン部分に流体接続された燃焼器アセンブリとを含む。燃焼器アセンブリは、キャップ表面、およびキャップ表面の周囲に延在している壁を有し、少なくとも部分的に共振器体積を画定する燃焼器キャップを含む。キャップ表面から複数の噴射ノズル部材が延在している。複数の噴射ノズル部材は、１つの内部ノズル部材および複数の外部ノズル部材を含む。コンジットが壁を貫通して共振器体積の中へ延在している。コンジットは、寸法パラメータを有する内部通路を含む。燃焼器ダイナミックス軽減システムが燃焼器キャップに動作可能に接続されている。燃焼器ダイナミックス軽減システムは、共振器体積の大きさおよびコンジットの寸法パラメータのうちの１つを制御して燃焼器アセンブリ内の燃焼器ダイナミックスを変更するように構成され、かつ、配置されたコントローラを含む。
【０００８】
これらおよび他の利点ならびに特徴は、図面に関連してなされる以下の説明からより明確になるであろう。
【０００９】
本発明と見なされる主題は、本明細書の結論部分の特許請求の範囲に詳細に指摘され、かつ、明確に特許請求されている。本発明の以上および他の特徴ならびに利点は、添付の図面に関連してなされる以下の詳細な説明から明らかである。
【図面の簡単な説明】
【００１０】
【図１】一例示的実施形態による、燃焼ダイナミックス軽減システムを有する燃焼器アセンブリを含んだガスターボ機械システムの略図である。
【図２】例示的実施形態の一態様による、体積調整板および複数の選択的シフト可能ディバイダ部材を示す図１の燃焼器アセンブリの燃焼器キャップの斜視図である。
【図３】例示的実施形態の一態様による、体積調整板および調整可能コンジットを示す図２の燃焼器キャップの横断面図である。
【図４】第１の調整構成で示されている図３の燃焼器キャップの調整可能コンジットの横断面図である。
【図５】第２の調整構成で示されている図４の燃焼器キャップの調整可能コンジットの横断面図である。
【図６】第１の出口サイズを使用して示されている例示的実施形態の他の態様による、図３の調整可能コンジットの端面図である。
【図７】第２の出口サイズを使用して示されている図６の調整可能コンジットの端面図である。
【図８】第３の出口サイズを使用して示されている図６の調整可能コンジットの端面図である。
【図９】第４の出口サイズを使用して示されている図６の調整可能コンジットの端面図である。
【図１０】体積調整板、複数のディバイダ部材および調整可能コンジットに結合されたコントローラを示す燃焼器ダイナミックス軽減システムの略線図である。
【発明を実施するための形態】
【００１１】
詳細な説明には、一例として図面を参照して、本発明の実施形態が利点および特徴と共に説明されている。
【００１２】
図１〜３を参照すると、一例示的実施形態によるガスターボ機械が一括して２で示されている。ガスターボ機械２は、共通圧縮機／タービン軸８を介してタービン部分６に動作可能に接続された圧縮機部分４を含む。また、圧縮機部分４も、複数の缶形環状燃焼器（そのうちの１つが１２で示されている）を有する燃焼器アセンブリ１０を介してタービン部分６に流体接続されている。図に示されている例示的実施形態では、燃焼器アセンブリ１０は、噴射ノズルアセンブリ２１および燃焼室２２を支持している主ボディ１８を有する燃焼器キャップ１６を含む。噴射ノズルアセンブリ２１は、複数の支持部材（そのうちの１つが２５で示されている）によって主ボディ１８から間隔を隔てており、それにより流体流路２８を画定している。
【００１３】
噴射ノズルアセンブリ２１は、壁３５によって取り囲まれている背面板すなわちキャップ表面３２および流出板３６を含む。キャップ表面３２は燃焼器キャップ１６の上流側の範囲を画定し、また、流出板３６は燃焼器キャップ１６の下流側の範囲を画定している。キャップ表面３２、壁３５および流出板３６は、集合的にキャップすなわち共振器体積４０を画定している。また、噴射ノズルアセンブリ２１は、キャップ表面３２から延在している複数のノズル部材４４を含む。これらの複数のノズル部材４４は、中央ノズル４７および中央ノズル４７の周囲に整列している領域である複数の外部ノズル５０〜５４を含む。個々のノズル４７および５０〜５４は同じように構築されているため、詳細な説明は、外部ノズル５０に対して説明し、中央ノズル４７および外部ノズル５１〜５４は同様の構造を含むものと理解されたい。外部ノズル５０は、外部ノズル部材６２によって取り囲まれた内部ノズル部材６０を含む。スウォズル体積６５は、それらの間に画定されている。例示的実施形態の一態様によれば、中央ノズル４７および外部ノズル５１〜５４は体積調整板７０を貫通して突出している。以下でより完全に説明するように、体積調整板７０は、共振器体積４０の大きさを調整するために、キャップ表面３２に対して軸方向に選択的にシフトさせることができる。
【００１４】
また、図に示されている噴射ノズルアセンブリ２１は、壁３５を貫通して延在している１つまたは複数の調整可能コンジット８０を含む。調整可能コンジット８０は、長さおよび内径などの寸法パラメータを有する内部通路８２を含む。流体流路２８に沿って流れる流体はコンジット８０に入り、かつ、共振器体積４０に流入する。共振器体積４０は、ターボ機械２を運転している間、燃焼室２２の圧力発振によって生成される固有周波数を相殺する特性周波数で圧力発振を生成する。共振器体積４０によって生成される周波数を調整し、かつ、燃焼室２２で生成される圧力発振を相殺するために、ターボ機械２は、体積調整板７０および／または調整可能コンジット８０に結合された燃焼ダイナミックス軽減システム９０を含む。
【００１５】
また、例示的実施形態の他の態様によれば、噴射ノズルアセンブリ２１は、共振器体積４０を複数の平行共振器体積４０ａ〜４０ｅに分割する複数のディバイダ部材９５〜９９を含む。より具体的には、ディバイダ部材９５〜９９は、中央ノズル部材４７から、外部ノズル部材５０〜５４の隣接する外部ノズル部材の間の壁３５まで延在しており、それにより平行共振器体積４０ａ〜４０ｅを画定している。個々の平行共振器体積４０ａ〜４０ｅは、対応する調整可能コンジット８０を介して流体流路２８に流体結合されている。個々のディバイダ部材９５〜９９は実質的に同様であるため、ディバイダ部材９５を参照して詳細に説明する。ディバイダ部材９５は、実質的に平らな表面１０２を貫通して第２の端部部分１０１まで延在している第１の端部部分１００を含む。第１の端部１００は内部ノズル部材４７に枢動可能に取り付けられており、一方、第２の端部部分１０１は壁３５に対してシフトさせることができる。ディバイダ部材９５〜９９は燃焼ダイナミックス軽減システム９０に結合されている。この方法によれば、以下でより完全に説明するように、ディバイダ部材９５〜９９を選択的に移動させることができ、したがって共振器体積４０ａ〜４０ｅの大きさを調整することができる。
【００１６】
図４〜５に示されている例示的実施形態の他の態様によれば、調整可能コンジット８０は選択的に調整可能な長さを含む。より具体的には、調整可能コンジット８０は、内部コンジット壁部材１０４および外部コンジット壁部材１０６を含む。外部コンジット壁部材１０６は、燃焼ダイナミックス軽減システム９０に動作可能に結合されている。以下でより完全に説明するように、燃焼ダイナミックス軽減システム９０は、寸法パラメータ、例えば調整可能コンジット８０の長さを調整するために、内部コンジット壁部材１０４を外部壁部材１０６に対して選択的にシフトさせることができる。つまり、外部コンジット壁部材１０６は、調整可能コンジット８０の第１の長さＬ1を確立するために、図４に示されているような第１の位置へシフトさせることができる。外部壁部材１０６は、調整可能コンジット８０の第２の長さＬ2を確立するために、図５に示されているような第２の位置へシフトさせることができる。また、外部壁１０６は、Ｌ1とＬ2の間の任意の位置に配置することも可能である。この方法によれば、燃焼ダイナミックス軽減システム９０を使用することにより、個々の調整可能コンジット８０を選択的に個々に調整することができ、それにより個々の共振器体積４０ａ〜４０ｅの固有周波数を変更して、燃焼器１２によって生成される動圧脈動の固有周波数を実質的に相殺し、かつ、ターボ機械２によって放出される望ましくない雑音を小さくすることができる。
【００１７】
図６〜９は、例示的実施形態の他の態様による、選択的に調整可能な直径を有する調整可能コンジット８０を示したものである。図に示されているように、調整可能コンジット８０は、複数のシフト可能板１２８〜１３３によって画定される、選択的に調整可能な開口１２５を含む。板１２８〜１３３は、燃焼ダイナミックス軽減システム９０に動作可能に結合されており、寸法パラメータ、例えばコンジット８０の内部通路８２の出口サイズを調整するために選択的に移動させることができる。板１２８〜１３３は、流体流路２８から共振器体積４０ａ〜４０ｅのうちの１つまたは複数に流入して、燃焼器１２によって生成される動圧脈動の固有周波数を実質的に相殺し、それによりターボ機械によって放出される望ましくない雑音を小さくする流体を制御するために、カメラのシャッタと同様の方法でシフトさせることができる。
【００１８】
図１０に示されている一例示的実施形態によれば、燃焼ダイナミックス軽減システム９０は、体積調整板７０、ディバイダ部材９５〜９９および調整可能コンジット８０のうちの１つまたは複数を選択的に制御するように構成されるコントローラ１６０を含む。コントローラ１６０は、共振器体積４０、共振器体積４０ａ〜４０ｅおよび／または調整可能コンジット８０を通る流れの体積の体積パラメータを選択的に調整する。より具体的には、共振器体積４０の大きさを集合的に変化させるために、コントローラ９４を起動して体積調整板７０をキャップ表面３２に対してシフトさせることができる。別法としては、コントローラ１６０は、ディバイダ部材９５〜９９のうちの１つまたは複数の位置を制御し、それにより共振器体積４０ａ〜４０ｅのうちの隣接する共振器体積の大きさを制御することも可能である。また、コントローラ１６０は、複数の調整可能コンジット８０のうちの１つまたは複数の長さパラメータまたは出口パラメータのいずれかを調整することにより、共振器体積４０ａ〜４０ｅのうちの１つまたは複数に流入する流体を制御することも可能である。
【００１９】
この方法によれば、オペレータは、燃焼ダイナミックス軽減システム９０を使用して、体積調整板７０、ディバイダ部材９５〜９９の所望の相対位置および／または調整可能コンジット８０の寸法パラメータを設定することができ、したがってターボ機械２を運転している間に生成される燃焼ダイナミックスの固有周波数を相殺するべく、共振器の周波数を選択的に同調させることができる。ターボ機械２を運転している間、燃料および空気の流れの変動、渦炎相互作用、および内部ノズル部材４７および外部ノズル部材５０〜５４からの不安定な放熱は、すべて燃焼システム内の動圧脈動すなわち燃焼ダイナミックスの原因になる。動圧脈動は、ターボ機械から放出される望ましくない雑音を生成する固有周波数を有している。燃焼ダイナミックス軽減システム９０を使用することにより、ターボ機械２を運転している間に生成される動圧脈動の固有周波数を微同調し、かつ、実質的に相殺するために、噴射器ノズルアセンブリ２１の１つまたは複数のパラメータを、選択的に、個々に、および／または集合的に調整することができる。
【００２０】
１つまたは複数の調整可能共振器体積および／または調整可能コンジット８０は、音響減衰器として作用している。音響圧力および速度が変更されて総合システム音響変化が得られる。１つまたは複数の共振器体積４０の大きさおよび１つまたは複数の共振器体積４０への流入は、個々のコンジット８０の断面積（Ｓ）、個々のコンジット８０の長さ（Ｌ）および１つまたは複数の共振器体積４０の体積（Ｖ）によって決定される周波数（ｆ）で共振するよう、集合的および／または個別に調整される。周波数は、式
ｆ＝（ｃ／（２*π））*ｓｑｒｔ（Ｓ／（Ｖ*Ｌ））
によって与えられる。
【００２１】
上式で「ｃ」は音の速度である。所望の周波数は、１つまたは複数の平行共振器体積４０の体積を変化させ、あるいは調整可能コンジット８０を通る流れを変化させることによって達成することができる。燃焼器アセンブリ１０の固有周波数が緩和されるように整合周波数が選択され、また、所望の周波数が得られるようにＶ、ＬおよびＳの特性が設定される。所望のＶ、ＳまたはＬを達成するために、燃焼ダイナミックス軽減システム９０は、体積調整板７０の位置、複数のディバイダ部材９５〜９９のうちの１つまたは複数の角度、および／または調整可能コンジット８０の１つまたは複数の寸法パラメータのうちの１つまたは複数を選択的に制御することができる。燃焼器アセンブリ１０が動作している間、動圧脈動によって生成される固有周波数が、事実上、選択された周波数によって「チューンアウト」され、それにより燃焼ダイナミックスの発生に関連する問題が防止および／または実質的に除去される。
【００２２】
ここで、例示的実施形態は、ターボ機械内の燃焼ダイナミックスを制御するために、複数のノズルパラメータを個々に調整することができるシステムを提供していることを理解されたい。放熱プロセスに起因する圧力変動によって生成される固有周波数を相殺することは望ましいことであり、それにより保全サイクル間の間隔が長くなり、また、保全費が低減される。また、ターボ機械２は、少なくとも１つの可動体積調整板、枢動ディバイダ部材および調整可能コンジットを含むことができることを同じく理解されたい。さらに、ターボ機械２はディバイダ部材を備える必要はなく、それらを固定することも、あるいは枢動させることも可能であることを理解されたい。
【００２３】
以上、本発明について、ごく限られた数の実施形態に関連して詳細に説明したが、本発明は、開示されているこのような実施形態に限定されないことは容易に理解されよう。そうではなく、本発明は修正が可能であり、それによりこれまで説明されていないが、本発明の精神および範囲に相当する任意の数の変形、変更、置換または等価構造を組み込むことができる。さらに、本発明の様々な実施形態が説明されているが、本発明の態様は、説明されている実施形態のうちの一部のみを含むことができることを理解されたい。したがって本発明は、以上の説明によって制限されるものと見なしてはならず、唯一、特許請求の範囲によってのみ制限される。
【符号の説明】
【００２４】
２  ガスターボ機械
４  圧縮機部分
６  タービン部分
８  共通圧縮機／タービン軸
１０  燃焼器アセンブリ
１２  複数の缶形環状燃焼器
１６  燃焼器キャップ
１８  主ボディ
２１  噴射ノズルアセンブリ
２２  燃焼室
２５  複数の支持部材
２８  流体流路
３２  背面板すなわちキャップ表面
３５  壁
３６  流出板
４０  キャップすなわち共振器体積
４０ａ〜４０ｅ  複数の平行共振器体積
４４  複数のノズル部材
４７  中央ノズル
５０〜５４  複数の外部ノズル
６０  内部ノズル部材
６２  外部ノズル部材
６５  スウォズル体積
７０  体積調整板
８０  調整可能コンジット
８２  内部通路
９０  燃焼ダイナミックス軽減システム
９５〜９９  複数のディバイダ部材
１００  第１の端部部分
１０１  第２の端部部分
１０２  実質的に平らな表面
１０４  内部コンジット壁部材
１０６  外部コンジット壁部材
１２５  選択的に調整可能な開口
１２８〜１３３  複数のシフト可能板
１６０  コントローラ
【図１】
2013242136.tif 000003
【図２】
2013242136.tif 000004
【図３】
2013242136.tif 000005
【図４】
2013242136.tif 000006
【図５】
2013242136.tif 000007
【図６】
2013242136.tif 000008
【図７】
2013242136.tif 000009
【図８】
2013242136.tif 000010
【図９】
2013242136.tif 000011
【図１０】
2013242136.tif 000012